(57)【特許請求の範囲】
【請求項１】
パケットを分析するプローブ処理を行ってパケット伝送を行うパケットプローブシステムにおいて、
受信パケットを、前段伝送路から後段伝送路へ流すスルー側のスイッチング、またはプローブ処理する際にプローブ側へスイッチングするスイッチ部と、前記スイッチ部のスイッチ切替制御を行うスイッチ切替制御部と、ダミー光を発光する光源を有し、前記スイッチ部がスルー側へ切り替えられる場合には、プローブ側からスルー側へのスイッチ切り替え動作中のみ、前記後段伝送路へ向けて前記ダミー光を発光させるダミー光発光制御部と、を含む光スイッチユニットと、
前記光スイッチユニットから送信されたパケットのプローブ処理を行うプローブ処理部を含むプローブユニットと、
を備え、
前記光スイッチユニットは、プローブ側へスイッチングしているときには、前記前段伝送路からの受信パケットを前記プローブユニットへ送信し、前記プローブユニットでプローブ処理された受信パケットを前記後段伝送路へ流す、
ことを特徴とするパケットプローブシステム。
【請求項２】
前記ダミー光発光制御部は、前記光スイッチユニットのスイッチング機能が故障して前記後段伝送路から受信パケットが出力されない場合、前記後段伝送路上の下流装置側でネットワーク障害を検出させて別伝送路へ切り替わるように、前記ダミー光の発光をシャットダウンすることを特徴とする請求項１記載のパケットプローブシステム。
【請求項３】
前記スイッチ部は、前記前段伝送路を流れてきたパケットを、スルー側またはプローブ側へスイッチングする第１のスイッチと、前記第１のスイッチをスルーで通過したパケットを、前記後段伝送路へ送信するためにスルー側へスイッチングし、またはプローブ処理後のパケットを受信して、前記後段伝送路へ送信するためにプローブ側へスイッチングする第２のスイッチと、を含み、プローブ処理が実行される場合には、前記第１のスイッチと前記第２のスイッチは共にプローブ側へ、プローブ処理が実行されない場合には前記第１のスイッチと前記第２のスイッチは共にスルー側へ切り替わることを特徴とする請求項１記載のパケットプローブシステム。
【請求項４】
前記光スイッチユニットは、自ユニットが電源断した場合には、前記第１のスイッチと前記第２のスイッチは、デフォルト状態として共にスルー側に切り替わり、前記ダミー光発光制御部は、充電池またはキャパシタ容量の電荷放電により駆動して、電源断時のスイッチ切り替え動作中のみ、前記ダミー光を発光させることを特徴とする請求項３記載のパケットプローブシステム。
【請求項５】
前記光スイッチユニットは、前記プローブ処理部の故障、電源断、または自ユニットとの接続不良の少なくとも１つを含む動作不良状態を監視し、監視結果を前記スイッチ切替制御部及び前記ダミー光発光制御部に通知する動作状態監視部を含み、
前記スイッチ切替制御部は、前記監視結果にもとづいて、前記プローブ処理部が前記動作不良状態でない場合は、前記第１のスイッチと前記第２のスイッチとをプローブ側に切り替え、前記プローブ処理部が前記動作不良状態である場合は、前記第１のスイッチと前記第２のスイッチとをスルー側へ切り替え、
前記ダミー光発光制御部は、前記監視結果にもとづいて、前記プローブ処理部が前記動作不良状態でない場合は、前記ダミー光を発光せず、前記プローブ処理部が前記動作不良状態である場合は、スイッチ切り替え動作中のみ、前記ダミー光を発光することを特徴とする請求項３記載のパケットプローブシステム。
【発明の詳細な説明】
【技術分野】
【０００１】
本発明は、パケットプローブシステムに関し、パケットを分析するプローブ（prove）処理を行ってパケット伝送を行うパケットプローブシステムに関する。
【背景技術】
【０００２】
現在、ＩＰネットワークは、Ｗｅｂやメール等の多様なサービスが提供されており、インターネット／イントラネットといった通信ネットワークは、広く普及してきている。このようなネットワーク技術が進展する一方で、通信ネットワークは、ウイルスに感染した不正パケットによるアクセスなどによって常に危険にさらされている。
【０００３】
図１４は不正パケットが流れるネットワークの様子を示す図である。ネットワーク１００は、Ｌ３（レイヤ３）スイッチ１０１、１０２、端末ｔ１〜ｔ１１を含む。Ｌ３スイッチ１０１、１０２は互いに接続し、Ｌ３スイッチ１０１と端末ｔ１〜ｔ４が接続する。また、Ｌ３スイッチ１０２と端末ｔ５〜ｔ８が接続し、端末ｔ７と端末ｔ９〜ｔ１１が接続している。なお、各機器を接続する伝送路は光伝送路である。
【０００４】
ここで、パケット（光パケット）のマルチキャストが行われ、端末ｔ４から不正パケットが出力されるとする。不正パケットは、Ｌ３スイッチ１０１からＬ３スイッチ１０２へ流れると、Ｌ３スイッチ１０２は、自身に接続しているすべての端末のＩＰアドレスに向けて、不正パケットをマルチキャストするので、端末ｔ５〜ｔ８が不正パケットを受信してウイルスで感染することになる。
【０００５】
また、端末ｔ７には端末ｔ９〜ｔ１１が接続しているので、端末ｔ７が不正パケットを端末ｔ９〜ｔ１１へマルチキャストすることで、端末ｔ９〜ｔ１１がウイルスで感染してしまい、被害が拡大することになる。
【０００６】
そこで、このような不正パケットによる被害を防止するために、パケットプローブが開発されている。パケットプローブは、パケットの分析を行い、かつ不正パケットによるウイルス伝染を遮断する機能のことである（一般にネットワーク上を流れる信号やトラフィックなどの検査・測定を行う機器やソフトウェアのことをプローブと呼ぶ）。
【０００７】
図１５はパケットプローブを有するネットワークを示す図である。ネットワーク１００ａは、図１４で上述したＬ３スイッチ１０１、１０２の間に、パケットプローブ装置１１０が配置されている。
【０００８】
パケットプローブ装置１１０は、光伝送路をプローブ側またはスルー側（本来の伝送路側）のいずれかに切り替える光スイッチ１１１と、パケットの分析を行うプローブ装置１１２とから構成される。
【０００９】
ここで、Ｌ３スイッチ１０１を介して流れてきたパケットは、光スイッチ１１１がプローブ側にスイッチングすることによってプローブ装置１１２へ流される。プローブ装置１１２は、受信パケットを電気信号に変換した後に、受信パケットの分析を行い、不正パケットと判別するとこれを廃棄し、正常パケットならば光スイッチ１１１へ送信する。光スイッチ１１１は、プローブ装置１１２から送信されたパケットを受信し、Ｌ３スイッチ１０２側へ送信する。
【００１０】
パケットプローブの従来技術として、光スイッチと障害検出部を有して、回線障害を検出すると光路を切り替え、後段側で入力断を検出させないために、主信号より弱い補助光を継続的に光らせておく技術が提案されている（例えば、特許文献１）。
【特許文献１】特開２００２−０１４２９３号公報（段落番号〔００１２〕〜〔００１６〕，第１図）
【発明の開示】
【発明が解決しようとする課題】
【００１１】
パケットプローブ装置１１０内の光スイッチ１１１やプローブ装置１１２に障害が発生すると、下流装置（端末ｔ５〜ｔ１１など）へのパケット送信が遮断してしまうので、このような場合には、光スイッチ１１１はプローブ側からスルー側に切り替わる必要がある。
【００１２】
また、光スイッチ１１１が電源断となった場合には、上記のようなスイッチ切り替えのための給電を行うことができないので、通常は、給電停止とともに自発的にデフォルト側に切り替わるノンラッチ（Non-Latch）型の光スイッチが使用される。
【００１３】
図１６は光スイッチの動作の違いを示す図である。ラッチ型光スイッチ１１１ａは、電源が断すると、そのときにスイッチングしていた状態を保持するタイプのものである。ノンラッチ型光スイッチ１１１ｂは、電源が断すると、デフォルト側にスイッチが切り替わるタイプである。
【００１４】
したがって、光スイッチ１１１にノンランチタイプを使用して、デフォルトとしてスルー側に設定しておけば、光スイッチ１１１の電源断が生じたときでも、パケット送信が中断することはない。なお、ノンラッチ型光スイッチ１１１ｂの切り替え時間は１０〜２０ｍｓｅｃ程度である。
【００１５】
一方、ネットワーク上でパケット送信が中断すると、ネットワーク内の各構成機器は、ネットワーク障害としてリンクに断が生じたものとみなして、リンク断を検出する仕組みとなっている。光信号を受信できなくなってから、リンク断発生とみなすまでの時間はおよそ１００μｓｅｃ程度である。
【００１６】
ここで、光スイッチ１１１に電源断が生じた場合を考えると、電源断時には、ノンラッチの光スイッチ１１１は、スルー側に切り替わるが、スイッチ切り替え時間は１０〜２０ｍｓｅｃなので、リンク断検出までの時間（１００μｓｅｃ）に比べてはるかに長く、受信機器（ここでは、Ｌ３スイッチ１０２）は、リンク断を検出してしまう。
【００１７】
すなわち、光スイッチ１１１は、ＭＥＭＳ等の物理的なスイッチで構成されているために、スイッチ切り替え速度は信号処理速度と比べてはるかに遅いので、Ｌ３スイッチ１０２は、物理スイッチの切り替え動作よりも速く障害検出を実行してしまい、本来のパケット伝送路に障害が発生していないにもかかわらず、リンク断発生と誤認識することになる。
【００１８】
また、ＩＰネットワークでは、リンク断を検出すると、伝送路断や送信側機器異常と判断して、ネットワーク内の機器が持っているルーティングテーブルの経路情報を元に、経路切り替えのプロトコル（ルーティング・プロトコル）が稼動し、その結果、別経路に切り替わってしまう。
【００１９】
図１７はリンク断検出による別経路への切り替え状態を示す図である。光スイッチ１１１が電源断して、スルー側にスイッチ切り替えがなされても、Ｌ３スイッチ１０２は、スイッチ切り替え途中のパケット未受信の状態からリンク断と検出する。Ｌ３スイッチ１０１は、Ｌ３スイッチ１０２からの応答が来ないため、別経路（Ｌ３スイッチ１０１→Ｌ３スイッチ１０３→Ｌ３スイッチ１０４→Ｌ３スイッチ１０２）を選択して、別経路でのパケット伝送が行われることになる。
【００２０】
また、一度、別経路が確立すると、元々の経路の断が復旧しても再度ルーティングテーブルが更新されるまでに時間がかかるため、元に戻るまでにはかなりの時間を要し、結果として、パケットがプローブ装置１１２を通過しない状態がしばらく続くことになり、不正パケット検出が行えないといった問題があった。
【００２１】
一方、上記の従来技術（特開２００２−０１４２９３号公報）では、主信号より弱いＤＣ光を継続的に光らせておき、スイッチ切り替え時に入力断を検出させないようにしているが、ＤＣ光を常時光らせている構成としているため、光スイッチに異常が発生したりしても、下流装置で異常を検出することはできないといった欠点がある。
【００２２】
本発明はこのような点に鑑みてなされたものであり、パケットプローブに故障や電源断が発生しても、下流装置で誤ったネットワーク障害を検出させずに、パケット伝送の運用を正常に継続するパケットプローブシステムを提供することを目的とする。
【課題を解決するための手段】
【００２３】
上記課題を解決するために、パケットプローブシステムが提供される。パケットプローブシステムは、受信パケットを、前段伝送路から後段伝送路へ流すスルー側のスイッチング、またはプローブ処理する際にプローブ側へスイッチングするスイッチ部と、前記スイッチ部のスイッチ切替制御を行うスイッチ切替制御部と、ダミー光を発光する光源を有し、前記スイッチ部がスルー側へ切り替えられる場合には、プローブ側からスルー側へのスイッチ切り替え動作中のみ、前記後段伝送路へ向けて前記ダミー光を発光させるダミー光発光制御部と、を含む光スイッチユニットと、前記光スイッチユニットから送信されたパケットのプローブ処理を行うプローブ処理部を含むプローブユニットと、を備える。前記光スイッチユニットは、プローブ側へスイッチングしているときには、前記前段伝送路からの受信パケットを前記プローブユニットへ送信し、前記プローブユニットでプローブ処理された受信パケットを前記後段伝送路へ流す。
【発明の効果】
【００２５】
スイッチ切り替え中の光断をなくすことができるので、後段伝送路側の下流装置で、誤ったネットワーク障害検出が行われることなく、パケット伝送の運用を正常に継続することが可能になる。
【発明を実施するための最良の形態】
【００２６】
以下、本発明の実施の形態を図面を参照して説明する。図１はパケットプローブシステムの原理図である。パケットプローブシステム１は、光スイッチユニット１０とプローブユニット２０とから構成され、パケット（光パケット）を分析するプローブ処理を行ってパケットの中継伝送を行うシステムである。
【００２７】
光スイッチユニット１０は、スイッチ部１１、スイッチ切替制御部１２、ダミー光発光制御部１３、動作状態監視部１４、カプラＣｐから構成され、スイッチ部１１は、第１のスイッチ（スイッチＳＷ１）と第２のスイッチ（スイッチＳＷ２）を含む。
【００２８】
スイッチＳＷ１は、前段伝送路Ｌ１を流れてきたパケットを、スルー側またはプローブ側へスイッチングする。スイッチＳＷ２は、スイッチＳＷ１をスルーで通過したパケットを、後段伝送路Ｌ２へ送信するためにスルー側へスイッチングし、またはプローブ処理後のパケットを受信して、後段伝送路Ｌ２へ送信するためにプローブ側へスイッチングする。
【００２９】
なお、スイッチ部１１においては、プローブ処理が実行される場合には、スイッチＳＷ１、ＳＷ２は共にプローブ側へ、プローブ処理が実行されない場合にはスイッチＳＷ１、ＳＷ２は共にスルー側へ切り替わる。スイッチ切替制御部１２は、外部信号にもとづき、スイッチ部１１のスイッチ切替制御を行う。
【００３０】
ダミー光発光制御部１３は、ダミー光を発光する光源（ＬＤ：Laser Diode）１３ａを有し、スイッチＳＷ１とスイッチＳＷ２が共にスルー側へ切り替えられる場合には、プローブ側からスルー側へのスイッチ切り替え動作中のみ、カプラＣｐを介して後段伝送路Ｌ２へ向けてダミー光を発光させる。動作状態監視部１４は、プローブ処理部２１の動作状態を監視し、監視結果をスイッチ切替制御部１２及びダミー光発光制御部１３に通知する。
【００３１】
プローブユニット２０は、プローブ処理部２１を含む。プローブ処理部２１は、プローブ側に切り替えられているスイッチＳＷ１を通過したパケットを受信してプローブ処理を行う。このとき、不正パケットと判別した場合には廃棄し、正常パケットならばプローブ側に切り替えられているスイッチＳＷ２へ、正常パケットを送信する。
【００３２】
次にスイッチング動作について図２、図３を用いて説明する。なお、以降の説明では、動作を説明する際に必要な構成要素のみ図に示す。
図２はプローブ側スイッチングの状態を示す図である。パケットプローブシステム１は、前段伝送路Ｌ１から流れてきたパケットをプローブユニット２０でプローブ処理し、不正パケットはここで廃棄し、正常パケットのみ後段伝送路Ｌ２へ流す。したがって、通常運用時は、スイッチＳＷ１、ＳＷ２は共にプローブ側へスイッチングしている。
【００３３】
なお、伝送路を流れるパケットは光パケットであるので、プローブ処理部２１は、受信したプローブ対象のパケットを電気信号に一旦変換した後に、不正パケットか正常パケットかを判別する。また、不正パケットであった場合は、廃棄処理するだけでなく、不正パケットを分析して送信元を解析し、解析結果をオペレータへ通知したりする機能も有している。そして、プローブ処理後のパケットは、再び光パケットに変換されて、光スイッチユニット１０へ送信される。
【００３４】
図３はスルー側スイッチングの状態を示す図である。プローブユニット２０において、正常にプローブ処理が行えない場合（プローブ処理部２１の故障、プローブユニット２０の電源断、または光スイッチユニット１０とプローブユニット２０との接続不良など）や光スイッチユニット１０が電源断した場合などは、パケットプローブシステム１に障害が発生したものであるから、本来のネットワークの通信路に障害が生じたものではない。したがって、このような場合は、後段伝送路Ｌ２上の下流装置側で、不要なリンク断が検出されないように、スイッチＳＷ１、ＳＷ２は、スルー側へスイッチングして、前段伝送路Ｌ１から後段伝送路Ｌ２へのスルー方向にパケットを通す。
【００３５】
次に光スイッチユニット１０の電源断時における、スイッチＳＷ１、ＳＷ２がプローブ側からスルー側へ切り替わるときのダミー光の発光制御について説明する。
図４は光スイッチユニット１０が電源断のときのダミー光の発光を示す図である。ダミー光発光制御部１３は、ＬＤ１３ａ、電源部１３ｂを含む。電源部１３ｂには、充電池または大容量キャパシタが用いられ、光スイッチユニット１０に電源断が生じると、ＬＤ１３ａに電源を供給して、ダミー光を発光させる。
【００３６】
スイッチ部１１は、図１６で上述したノンラッチ型のスイッチを使用するので、光スイッチユニット１０に電源断が生じると、スイッチＳＷ１、ＳＷ２は、自動的にデフォルト状態であるスルー側に切り替わる。光スイッチユニット１０に電源断が生じると、電源部１３ｂは、自律的に駆動して、電源をＬＤ１３ａに一定時間（スイッチＳＷ１、ＳＷ２がプローブ側からスルー側へ切り替わるのに要する時間）供給する。
【００３７】
ＬＤ１３ａは、充電池からの電源供給またはキャパシタ容量の電荷放電によりＬＤ１３ａを駆動して、ＬＤ１３ａは、電源断時のスイッチ切り替え動作中のみ、後段伝送路Ｌ２へ向けて（後段伝送路Ｌ２上の下流装置へ向けて）ダミー光を発光させる。
【００３８】
下流装置（ＩＰ機器）におけるリンク断への遷移は、パケットの中身を見ているのではなく、光レベルだけを見て判断しているので、スイッチＳＷ１、ＳＷ２がプローブ側からスルー側へ切り替わっている間、下流装置にダミー光を送信するようにすることで、スイッチＳＷ１、ＳＷ２の切り替え時間が長くても（例えば、最大２０ｍｓｅｃ）リンク断を検出させないことができる。なお、スイッチ切り替え後は、主信号との干渉を防止するために消灯させる。
【００３９】
また、下流装置におけるリンク断検出は、光信号の中身を見ているのではなく、受信光の有無で判断しているから、ＬＤ１３ａの光出力レベルや波長には特に制約はなく、主信号と同一波長帯でも別波長帯でもよい。また、光源にはＬＤの代わりに、安価なＬＥＤ（Light Emitting Diode）を使用してもよい。
【００４０】
なお、ダミー光は、カプラＣｐを介して、後段伝送路Ｌ２へ入力されるが、ダミー光を実信号光と別波長にしておけば、カプラＣｐとして合波損失の小さいＷＤＭ（Wavelength Division Multiplex）カプラが使用できる（光レベルに余裕があり、損失が気にならないのであれば、カプラＣｐとして通常の融着カプラを使用しても構わない）。
【００４１】
次に光スイッチユニット１０が故障した場合のダミー光の発光制御について説明する。パケットプローブシステム１も伝送路の一部としてみなすものとすると、システムの故障は伝送路断として扱うことが必要である。したがって、光スイッチユニット１０が故障した場合、必要以上にダミー光を光らせて現ルートを維持するよりも、下流局ですみやかに断を検出させて他ルートへ切り替えさせることが望ましい。このため、ダミー光は強制的にシャットダウンさせておき、下流側で確実にリンク断を検出させ、ルーティング・プロトコルにより別ルートへ切り替わるようにする。
【００４２】
次にプローブ処理部２１の障害発生時における、スイッチＳＷ１、ＳＷ２がプローブ側からスルー側へ切り替わるときのダミー光の発光制御について説明する。
図５はプローブ処理部２１に障害が発生したときのダミー光の発光を示す図である。動作状態監視部１４は、プローブ処理部２１の動作状態を監視し、監視結果をスイッチ切替制御部１２及びダミー光発光制御部１３に通知する。
【００４３】
スイッチ切替制御部１２は、監視結果にもとづいて、プローブ処理の正常動作を認識した場合は、スイッチＳＷ１、ＳＷ２をプローブ側に切り替え、プローブ処理の異常動作を認識した場合は、スルー側へ切り替える。
【００４４】
また、ダミー光発光制御部１３は、監視結果にもとづいて、プローブ処理の正常動作を認識した場合は、ダミー光を発光せず、プローブ処理の異常動作を認識した場合は、スイッチ切り替え動作中のみ、ダミー光を発光する（図では動作状態監視部１４から送信される外部信号にもとづいて、ダミー光の発光制御を行うものとしたが、スイッチ部１１やスイッチ切替制御部１２からのスイッチステータス情報にもとづいて、ダミー光の発光制御をしてもよい）。
【００４５】
ここで、ＬＤ１３ａは、スイッチＳＷ１、ＳＷ２の切り替え動作中のみ点灯させ、スイッチ切り替え後は、消灯させるようにすることで実信号との干渉を防止するが、ＩＰパケットはパケットロス発生時、ＦＣＳ（Frame Check Sequence）を利用したエラー検出機能などによるパケット再送プロトコルを持っているため、ＬＤ１３ａの点灯／消灯のタイミングは厳密に制御する必要はない。
【００４６】
つまり、リンク断を検出しない範囲であれば、スイッチＳＷ１、ＳＷ２の切り替え制御開始から遅れて発光しても構わないし、スイッチＳＷ１、ＳＷ２が切り替わりパケットが疎通し始めてから消灯してもよい。
【００４７】
図６はダミー光発光のタイミングチャートを示す図である。図５に示した符号Ａ〜Ｅにおけるそれぞれの波形タイミングを示している。Ａはプローブ処理部２１の動作状態を示す信号であり、ここでは電源断（故障）に“Ｌ”となる。Ｂは動作状態監視部１４が出力する外部信号を示す信号である（“Ｌ”で正常、“Ｈ”で異常）。また、ＣはＬＤ出力を示し、ＤはスイッチＳＷ２の出力を示し、Ｅは光スイッチユニット１０の出力を示す。
【００４８】
タイミングＴ１において、プローブ処理部２１が電源断する（Ａ）。タイミングＴ２において、外部信号（障害発生通知）が動作状態監視部１４からスイッチ切替制御部１２及びダミー光発光制御部１３へ通知されると（Ｂ）、スイッチＳＷ１、ＳＷ２は、プローブ側からスルー側への切り替え動作を開始する。
【００４９】
なお、スイッチＳＷ２の出力（Ｄ）は、プローブ電源断のタイミングＴ１からスルー切り替えが完了するタイミングＴ４まで不定となる。また、異常を検出したタイミングＴ２からスルー切り替えが完了するタイミングＴ４までが、プローブ側からスルー側へのスイッチ切り替え時間となる。
【００５０】
さらに、光スイッチユニット１０の出力（Ｅ）は、プローブ電源断のタイミングＴ１からダミー光発光開始のタイミングＴ３まで不定となり、この間の時間間隔（断時間）は、最大数１０μｓｅｃ程でリンク断検出時間よりも小さい。
【００５１】
タイミングＴ３において、プローブ処理部２１の電源断発生から数１０μｓｅｃ遅れて、リンク断が検出される前にＬＤ１３ａが発光する（Ｃ）。そして、光スイッチユニット１０からの出力（Ｅ）はダミー光となる。
【００５２】
タイミングＴ４において、スイッチＳＷ１、ＳＷ２がプローブ側からスルー側への切り替え動作（切り替え遷移時間は最大２０ｍｓｅｃ程度）を完了する（Ｄ）。また、光スイッチユニット１０の出力（Ｅ）は、タイミングＴ４からダミー光が消灯するタイミングＴ５まで、パケットとダミー光とが同時に出力する。
【００５３】
タイミングＴ５において、ダミー光の出力が停止する（Ｃ）。そして、光スイッチユニット１０からの出力（Ｅ）は、前段伝送路Ｌ１から流れてきたパケットのみとなる。
このように、時間Ｔａの断時間がリンク断検出時間よりも小さければ、光スイッチユニット１０からパケット出力が断してから時間Ｔａ経過した後にダミー光を発光させてもよく、また、下流装置で受信パケットエラーが検出されて、リンク断検出の前にパケット再生プロトコルが働くのならば、パケットとＬＤ光が同時に出力する状態から時間Ｔｂ経過した後にダミー光を消灯しても構わない。
【００５４】
なお、ＬＤ１３ａの発光制御は、プローブ処理部２１からの異常情報を受け取ってすぐに制御を開始することもできる。また、消灯時はスイッチＳＷ１、ＳＷ２から切替状態のステータス情報を見て、スルー側に確実に切り替わったことを確認してから消灯制御を行うこともできる（切替制御開始と同時に一定時間カウントするタイマを動作させて自動的に消灯制御する方法をとることもできる）。
【００５５】
次に光スイッチユニット１０とプローブユニット２０とのユニット間接続不良時における、スイッチＳＷ１、ＳＷ２がプローブ側からスルー側へ切り替わるときのダミー光の発光制御について説明する。
【００５６】
図７はユニット間接続不良が発生したときのダミー光の発光を示す図である。光スイッチユニット１０とプローブユニット２０との接続において、スイッチＳＷ１からプローブ処理部２１へ向かう接続箇所Ｊ１に接続不良が発生したとする。
【００５７】
この場合、プローブ処理部２１は、プローブ側に切り替えられているスイッチＳＷ１からパケットを受信できず、パケット受信不可能を認識する。すると、光スイッチユニット１０とプローブユニット２０との間の接続箇所Ｊ１に接続不良があると判別する。
【００５８】
動作状態監視部１４は、プローブ処理部２１での判別結果を受信してスイッチ切替制御部１２及びダミー光発光制御部１３に通知する。スイッチ切替制御部１２は、ユニット間の接続不良を認識すると、スイッチＳＷ１、ＳＷ２を共にスルー側へ切り替える。また、ダミー光発光制御部１３は、ユニット間の接続不良を認識すると、スイッチ切り替え動作中のみ、ダミー光が後段伝送路Ｌ２へ向かって発光するように、ＬＤ１３ａの発光制御を行う。
【００５９】
図８はユニット間接続不良が発生したときのダミー光の発光を示す図である。光スイッチユニット１０とプローブユニット２０との接続において、プローブ処理部２１からスイッチＳＷ２へ向かう接続箇所Ｊ２に接続不良が発生したとする。
【００６０】
動作状態監視部１４は、プローブ処理部２１からスイッチＳＷ２へパケットが向かうパスＰに対して、プローブ側へ切り替えられているスイッチＳＷ２でプローブ処理後の正常パケットを受信できるか否かを監視している。受信できない場合は、光スイッチユニット１０とプローブユニット２０との間に接続不良があると判別して、判別結果をスイッチ切替制御部１２及びダミー光発光制御部１３に通知する。
【００６１】
スイッチ切替制御部１２は、ユニット間の接続不良を認識すると、スイッチＳＷ１、ＳＷ２を共にスルー側へ切り替える。また、ダミー光発光制御部１３は、ユニット間の接続不良を認識すると、スイッチ切り替え動作中のみ、ダミー光が後段伝送路Ｌ２へ向かって発光するように、ＬＤ１３ａの発光制御を行う。
【００６２】
次にＬＤ１３ａに供給する駆動電流の制御について説明する。図９はＬＤ１３ａへ供給する駆動電流を示す図である。縦軸はＬＤ１３ａの発光出力、横軸は駆動電流である。
ダミー光発光制御部１３は、ＬＤ１３ａに対して、通常運用時には駆動しきい値Ｉｔｈを超えない駆動電流をＬＤ１３ａに流しておき、ダミー光の発光時（プローブユニット２０の異常発生時、スイッチ切り替え動作時）には、駆動しきい値Ｉｔｈを超える駆動電流Ｉａを流す。このように駆動電流を制御することで、ダミー光の発光立ち上げを速めることができる。なお、通常運用時、ＬＤ１３ａは、駆動しきい値Ｉｔｈを超えない駆動電流によってわずかに発光している状態にあるが、出力パワーが非常に小さいため主信号光に影響を及ぼすことはない。
【００６３】
次に伝送路断が発生したときのスイッチの状態について説明する。図１０は伝送路断が発生したときのスイッチ状態を示す図である。パケットプローブシステム１は、通常運用時、スイッチＳＷ１、ＳＷ２はプローブ側へスイッチングされている。したがって、前段伝送路Ｌ１または後段伝送路Ｌ２に断が発生した場合でも、復旧時に備えて、スイッチＳＷ１、ＳＷ２はプローブ側へスイッチングされたままとする（スイッチＳＷ１、ＳＷ２は、通常プローブ側になっているので、結局、伝送路障害の発生の有無を特に認識する必要はなく、そのままのスイッチ状態を維持しておけばよい）。
【００６４】
なお、伝送路異常を動作状態監視部１４で監視してスイッチ切り替え制御を行うこともできる。動作状態監視部１４は、スイッチＳＷ１の入力部を監視することで、前段伝送路Ｌ１の断の発生または復旧を監視する。また、カプラＣｐの出力部を監視することで、後段伝送路Ｌ２の断の発生または復旧を監視する。これらの監視結果にもとづいて、スイッチ切り替え制御を行ってもよい（伝送路断の発生から復旧するまでを監視して、この間はスイッチＳＷ１、ＳＷ２をプローブ側へ切り替えておく）。
【００６５】
次にパケットプローブシステム１で行われる各種制御と障害発生箇所とについて説明する。図１１はパケットプローブシステムで行われる各種制御と障害発生箇所とをまとめたテーブルを示す図である。
【００６６】
テーブル２は、パケットプローブシステムで行われる各種制御として、スイッチ切替制御、ダミー光発光制御、ルーティング・プロトコルによる経路変更制御が記され、障害発生箇所として、電源断（光スイッチユニット１０、プローブユニット２０）、装置故障（光スイッチユニット１０、プローブユニット２０）、伝送路断（前段伝送路Ｌ１、後段伝送路Ｌ２）、ユニット間接続不良（接続部Ｊ１、接続部Ｊ２）が記されている。
【００６７】
テーブル２の見方として縦方向に見ると、例えば、光スイッチユニット１０の故障時における各種制御の状態では、スイッチ切替制御は不可、ダミー光発光制御はシャットダウン、経路変更制御は別経路への切り替えとなっている。また、ユニット間接続部Ｊ１が不良時における各種制御の状態では、スイッチ切替制御は、スルー側へスイッチＳＷ１、ＳＷ２の切り替え、ダミー光発光制御はスイッチ切り替え動作中のみ発光、経路変更制御は現状維持となっている。
【００６８】
テーブル２の見方として横方向に見ると、例えば、ダミー光発光制御における障害発生箇所では、電源断、プローブユニット２０の故障、ユニット間接続不良のときはスイッチ切り替え動作中にダミー光の発光、光スイッチユニット１０の故障、伝送路断のときはシャットダウンとなっている。
【００６９】
次にパケットプローブシステム１の変形例について説明する。図１２はパケットプローブシステムの構成を示す図である。変形例のパケットプローブシステム１−１は、光スイッチユニット１０−１とプローブユニット２０から構成され、ダミー光発光制御部１３−１内にタイマ１３ｃを有する。構成上の違いはこの点だけで、その他の構成は図１と同じである。
【００７０】
プローブユニット２０の故障などによるスイッチＳＷ１、ＳＷ２のプローブ側からスルー側への切り替え時、図１のダミー光発光制御部１３ではスイッチ切り替え動作中のみＬＤ１３ａを発光させたが、変形例のダミー光発光制御部１３−１では、プローブ処理またはスイッチング機能が正常動作しない場合には、タイマ１３ｃに設定した一定の時間、ダミー光の発光を続けるものである。
【００７１】
このように、前段伝送路Ｌ１及び後段伝送路Ｌ２といった伝送路に異常がなく、明らかにパケットプローブシステム側に何らかの障害があると認識できる場合、システムの組み替えなどによって、パケットプローブシステムで発生している障害を短時間で復旧する可能性があるため、ＬＤ１３ａを点灯し続けておき、下流装置でリンク断を検出させないように、経路を維持しておくことが可能である。
【００７２】
ただし、異常状態で長時間の経路維持は好ましくないため、タイマ１３ｃのタイマ設定時間は例えば、数１０秒程度とし、その設定時間内だけダミー光により経路を維持させ、タイムアップ後はダミー光をシャットダウンさせて、ルーティング・プロトコルにより経路変更させるようにする。
【００７３】
次に光スイッチユニット１０を一般化した光スイッチ装置３０について説明する。図１３は光スイッチ装置３０の構成を示す図である。光スイッチ装置３０は、スイッチ３１、スイッチ切替制御部３２、ダミー光発光制御部３３から構成される。
【００７４】
スイッチ３１は、前段伝送路Ｌ１を流れてきた光信号を、後段伝送路Ｌ２または他経路Ｌ３へスイッチングする。スイッチ切替制御部３２は、スイッチ３１のスイッチ切替制御を行う。ダミー光発光制御部３３は、ダミー光を発光する光源３３ａを有し、スイッチ３１が他経路Ｌ３から後段伝送路Ｌ２へ切り替えられる場合には、スイッチ切り替え動作中のみ、後段伝送路Ｌ２へ向けてダミー光を発光させる。
【００７５】
また、ダミー光発光制御部３３は、ユニット内のスイッチング機能が故障した場合には（スイッチステータスは、ダミー光発光制御部３３へ常時通知されるので、スイッチングの正常／異常を常に認識可能）、後段伝送路Ｌ２上の下流装置側でネットワーク障害を検出させて、ルーティング・プロトコルにもとづく別伝送路へ切り替わるように、ダミー光の発光をシャットダウンする。
【００７６】
以上説明したように、本発明によれば、プローブユニット２０が故障したり、電源断となった場合においても、下流装置でリンク断を検出させることなくスイッチＳＷ１、ＳＷ２をスルー側に切り替えることができ、さらに光スイッチユニット１０の故障時には確実に別経路へ切り替えることができる。したがって、光スイッチ切り替えの遷移時間の長短にかかわらず、ネットワーク内に存在する装置や伝送路の正常／異常のみを判断材料としたルーティング経路の切り替え制御を行うことが可能になる。
【００７７】
（付記１）  パケットを分析するプローブ処理を行ってパケット伝送を行うパケットプローブシステムにおいて、
受信パケットを、前段伝送路から後段伝送路へ流すスルー側のスイッチング、またはプローブ処理する際にプローブ側へスイッチングするスイッチ部と、前記スイッチ部のスイッチ切替制御を行うスイッチ切替制御部と、ダミー光を発光する光源を有し、前記スイッチ部がスルー側へ切り替えられる場合には、プローブ側からスルー側へのスイッチ切り替え動作中のみ、前記後段伝送路へ向けて前記ダミー光を発光させるダミー光発光制御部と、から構成される光スイッチユニットと、
前記光スイッチユニットから送信されたパケットのプローブ処理を行うプローブ処理部を含むプローブユニットと、
を有することを特徴とするパケットプローブシステム。
【００７８】
（付記２）  前記ダミー光発光制御部は、前記光スイッチユニットのスイッチング機能が故障した場合、前記後段伝送路上の下流装置側でネットワーク障害を検出させて別伝送路へ切り替わるように、前記ダミー光の発光をシャットダウンすることを特徴とする付記１記載のパケットプローブシステム。
【００７９】
（付記３）  前記スイッチ部は、前記前段伝送路を流れてきたパケットを、スルー側またはプローブ側へスイッチングする第１のスイッチと、前記第１のスイッチをスルーで通過したパケットを、前記後段伝送路へ送信するためにスルー側へスイッチングし、またはプローブ処理後のパケットを受信して、前記後段伝送路へ送信するためにプローブ側へスイッチングする第２のスイッチと、を含み、プローブ処理が実行される場合には、前記第１のスイッチと前記第２のスイッチは共にプローブ側へ、プローブ処理が実行されない場合には前記第１のスイッチと前記第２のスイッチは共にスルー側へ切り替わることを特徴とする付記１記載のパケットプローブシステム。
【００８０】
（付記４）  前記光スイッチユニットは、自ユニットが電源断した場合には、前記第１のスイッチと前記第２のスイッチは、デフォルト状態として共にスルー側に切り替わり、前記ダミー光発光制御部は、充電池またはキャパシタ容量の電荷放電により駆動して、電源断時のスイッチ切り替え動作中のみ、前記ダミー光を発光させることを特徴とする付記３記載のパケットプローブシステム。
【００８１】
（付記５）  前記光スイッチユニットは、前記プローブ処理部の動作状態を監視し、監視結果を前記スイッチ切替制御部及び前記ダミー光発光制御部に通知する動作状態監視部を含み、前記スイッチ切替制御部は、前記監視結果にもとづいて、プローブ処理の正常動作を認識した場合は、前記第１のスイッチと前記第２のスイッチとをプローブ側に切り替え、プローブ処理の異常動作を認識した場合は、前記第１のスイッチと前記第２のスイッチとをスルー側へ切り替え、前記ダミー光発光制御部は、前記監視結果にもとづいて、プローブ処理の正常動作を認識した場合は、前記ダミー光を発光せず、プローブ処理の異常動作を認識した場合は、スイッチ切り替え動作中のみ、前記ダミー光を発光することを特徴とする付記３記載のパケットプローブシステム。
【００８２】
（付記６）  前記プローブ処理部は、プローブ側に切り替えられている前記第１のスイッチからパケットを受信できない場合は、前記光スイッチユニットと前記プローブユニットとの間に接続不良があると判別し、前記動作状態監視部は、判別結果を受信して前記スイッチ切替制御部及び前記ダミー光発光制御部に通知し、前記スイッチ切替制御部は、ユニット間の接続不良を認識すると、前記第１のスイッチと前記第２のスイッチを共にスルー側へ切り替え、前記ダミー光発光制御部は、ユニット間の接続不良を認識すると、スイッチ切り替え動作中のみ、前記ダミー光を発光させることを特徴とする付記５記載のパケットプローブシステム。
【００８３】
（付記７）  前記動作状態監視部は、プローブ側へ切り替えられている前記第２のスイッチでプローブ処理後の正常パケットを受信できるか否かを監視し、受信できない場合は、前記光スイッチユニットと前記プローブユニットとの間に接続不良があると判別して、判別結果を前記スイッチ切替制御部及び前記ダミー光発光制御部に通知し、前記スイッチ切替制御部は、ユニット間の接続不良を認識すると、前記第１のスイッチと前記第２のスイッチを共にスルー側へ切り替え、前記ダミー光発光制御部は、ユニット間の接続不良を認識すると、スイッチ切り替え動作中のみ、前記ダミー光を発光させることを特徴とする付記５記載のパケットプローブシステム。
【００８４】
（付記８）  前記ダミー光発光制御部は、通常運用時には駆動しきい値を超えない駆動電流を前記光源に流しておき、前記ダミー光の発光時には、前記駆動しきい値を超える駆動電流を流すことで、前記ダミー光の発光立ち上げを速めることを特徴とする付記１記載のパケットプローブシステム。
【００８５】
（付記９）  パケットを分析するプローブ処理を行ってパケット伝送を行うパケットプローブシステムにおいて、
受信パケットを、前段伝送路から後段伝送路へ流すスルー側のスイッチング、またはプローブ処理する際にプローブ側へスイッチングするスイッチ部と、前記スイッチ部のスイッチ切替制御を行うスイッチ切替制御部と、ダミー光を発光する光源を有し、プローブ処理またはスイッチング機能が正常動作しない場合には、前記後段伝送路へ向けて前記ダミー光を一定時間のみ発光させるダミー光発光制御部と、から構成される光スイッチユニットと、
前記光スイッチユニットから送信されたパケットのプローブ処理を行うプローブ処理部を含むプローブユニットと、
を有することを特徴とするパケットプローブシステム。
【００８６】
（付記１０）  光路切り替えを行う光スイッチ装置において、
前段伝送路を流れてきた光信号を、後段伝送路または他経路へスイッチングするスイッチと、
前記スイッチのスイッチ切替制御を行うスイッチ切替制御部と、
ダミー光を発光する光源を有し、前記スイッチが前記他経路から前記後段伝送路へ切り替えられる場合には、スイッチ切り替え動作中のみ、前記後段伝送路へ向けて前記ダミー光を発光させるダミー光発光制御部と、
を有することを特徴とする光スイッチ装置。
【図面の簡単な説明】
【００８７】
【図１】パケットプローブシステムの原理図である。
【図２】プローブ側スイッチングの状態を示す図である。
【図３】スルー側スイッチングの状態を示す図である。
【図４】光スイッチユニットが電源断のときのダミー光の発光を示す図である。
【図５】プローブ処理部に障害が発生したときのダミー光の発光を示す図である。
【図６】ダミー光発光のタイミングチャートを示す図である。
【図７】ユニット間接続不良が発生したときのダミー光の発光を示す図である。
【図８】ユニット間接続不良が発生したときのダミー光の発光を示す図である。
【図９】ＬＤへ供給する駆動電流を示す図である。
【図１０】伝送路断が発生したときのスイッチ状態を示す図である。
【図１１】パケットプローブシステムで行われる各種制御と障害発生箇所とをまとめたテーブルを示す図である。
【図１２】パケットプローブシステムの構成を示す図である。
【図１３】光スイッチ装置の構成を示す図である。
【図１４】不正パケットが流れるネットワークの様子を示す図である。
【図１５】パケットプローブを有するネットワークを示す図である。
【図１６】光スイッチの動作の違いを示す図である。
【図１７】リンク断検出による別経路への切り替え状態を示す図である。
【符号の説明】
【００８８】
１  パケットプローブシステム
１０  光スイッチユニット
１１  スイッチ部
ＳＷ１  第１のスイッチ
ＳＷ２  第２のスイッチ
１２  スイッチ切替制御部
１３  ダミー光発光制御部
１３ａ  光源
１４  動作状態監視部
２０  プローブユニット
２１  プローブ処理部
Ｃｐ  カプラ
Ｌ１  前段伝送路
Ｌ２  後段伝送路
【図１】
0004739946.tif 000002
【図２】
0004739946.tif 000003
【図３】
0004739946.tif 000004
【図４】
0004739946.tif 000005
【図５】
0004739946.tif 000006
【図６】
0004739946.tif 000007
【図７】
0004739946.tif 000008
【図８】
0004739946.tif 000009
【図９】
0004739946.tif 000010
【図１０】
0004739946.tif 000011
【図１１】
0004739946.tif 000012
【図１２】
0004739946.tif 000013
【図１３】
0004739946.tif 000014
【図１４】
0004739946.tif 000015
【図１５】
0004739946.tif 000016
【図１６】
0004739946.tif 000017
【図１７】
0004739946.tif 000018